(57)【要約】【課題】クッション効果が得られる荷重範囲を大幅に広げることが可能なクッション材を提供することにある。【解決手段】網目が菱形になるように編まれた、ジグザグに折り曲げられた複数本の線材１からなる菱形金網２を、線材１の波付け方向の交差部３を結ぶ軸線４と直交する方向に沿ってループ状に折り曲げ、軸線４の方向に圧縮荷重がかかるように構成されている。【選択図】図１
2019019843.tif 000002
【特許請求の範囲】
【請求項１】
網目が菱形になるように編まれた、ジグザグに折り曲げられた複数本の線材からなる菱形金網を、前記線材の波付け方向の交差部を結ぶ軸線と直交する方向に沿ってループ状に折り曲げ、前記軸線の方向に圧縮荷重がかかるように構成されていることを特徴とするクッション材。
【請求項２】
前記菱形金網は、前記交差部を結ぶ軸線と直交する方向に沿って円筒形状に折り曲げられていることを特徴とる、請求項１に記載のクッション材。
【請求項３】
前記菱形金網は、同心円状に配されていることを特徴とする、請求項２に記載のクッション材。
【請求項４】
請求項１から３の何れか１つに記載のクッション材を使用したことを特徴とする椅子。
【請求項５】
前記クッション材上には、座部が設けられていることを特徴とする、請求項４に記載の椅子。
【請求項６】
前記クッション材は、基台上に乗せられていることを特徴とする、請求項４または５に記載の椅子。
【発明の詳細な説明】
【技術分野】
【０００１】
この発明は、クッション材および椅子、特に、クッション効果が得られる荷重範囲を大幅に広げることが可能なクッション材、および、このクッション材を使用した椅子に関するものである。
【背景技術】
【０００２】
例えば、椅子には、スポンジやコイル状スプリング等からなるクッション材が広く使用されている。
【０００３】
クッション材としてのスポンジは、その厚さや硬度等を変えることによって、クッションの柔軟性を調整することができ、一方、クッション材としてのコイル状スプリングは、その長さや硬度等を変えることによって、クッションの柔軟性を調整することができる。
【発明の概要】
【発明が解決しようとする課題】
【０００４】
上記クッション材によれば、何れも、所定の荷重範囲内では、良好なクッション効果が得られるが、過大な荷重がかかった場合には、良好なクッション効果が得られにくいといった問題があった。
【０００５】
従って、この発明の目的は、クッション効果が得られる荷重範囲を大幅に広げることが可能なクッション材、および、このクッション材を使用した椅子を提供することにある。
【課題を解決するための手段】
【０００６】
本願発明者等は、クッション効果が得られる荷重範囲を大幅に広げることが可能なクッション材を得るべく、鋭意、検討を重ねた。
【０００７】
この結果、フェンス等に使用されている菱形金網を、編部を結ぶ軸線と直交する方向にループ状に折り曲げ、前記軸線方向に圧縮荷重をかけるように構成すれば、良好なクッション効果が得られる荷重範囲を大幅に広げることが可能なクッション材を得ることができるといった知見を得た。
【０００８】
この発明は、上記知見に基づきなされたものであり、下記を特徴とするものである。
【０００９】
請求項１に記載の発明は、網目が菱形になるように編まれた、ジグザグに折り曲げられた複数本の線材からなる菱形金網を、前記線材の波付け方向の交差部を結ぶ軸線と直交する方向に沿ってループ状に折り曲げ、前記軸線の方向に圧縮荷重がかかるように構成されていることに特徴を有するものである。
【００１０】
請求項２に記載の発明は、請求項１に記載の発明において、前記菱形金網は、前記交差部を結ぶ軸線と直交する方向に沿って円筒形状に折り曲げられていることに特徴を有するものである。
【００１１】
請求項３に記載の発明は、請求項２に記載の発明において、前記菱形金網は、同心円状に配されていることに特徴を有するものである。
【００１２】
請求項４に記載の発明は、請求項１から３の何れか１つに記載のクッション材を使用したことに特徴を有する。
【００１３】
請求項５に記載の発明は、請求項４に記載の発明において、前記クッション材上には、座部が設けられていることに特徴を有するものである。
【００１４】
請求項６に記載の発明は、請求項４または５に記載の発明において、前記クッション材は、基台上に乗せられていることに特徴を有するものである。
【発明の効果】
【００１５】
この発明によれば、網目が菱形になるように編まれた、ジグザグに折り曲げられた複数本の線材からなる菱形金網を、前記線材の波付け方向の交差部を結ぶ軸線と直交する方向に沿ってループ状に折り曲げることによって、前記軸線の方向に圧縮荷重がかかった場合、隣接する前記線材の交差部間に引張力が作用し、この引張力は、幅広い荷重範囲に応じて変化し、圧縮荷重がなくなれば、元の状態に復帰する。
【００１６】
この結果、この発明のクッション材本を、例えば、椅子に使用することによって、良好なクッション効果が得られる荷重範囲は、上述したスポンジやコイル状スプリングに比べて大幅に広くなる。
【図面の簡単な説明】
【００１７】
【図１】この発明のクッション材を示す斜視図である。
【図２】図１の部分拡大図である。
【図３】この発明のクッション材の別の例を示す斜視図である。
【図４】この発明のクッション材を椅子に使用した場合を示す斜視図である。
【図５】この発明のクッション材を椅子に使用した場合を示す正面図である。
【図６】この発明のクッション材を椅子に使用した場合の別の例を示す正面図である。
【発明を実施するための形態】
【００１８】
この発明のクッション材の一実施態様を、図面を参照しながら説明する。
【００１９】
図１は、この発明のクッション材を示す斜視図、図２は、図１の部分拡大図である。
【００２０】
図１および図２に示すように、この発明のクッション材は、網目が菱形になるように編まれた、ジグザグに折り曲げられた複数本の線材１からなる菱形金網２を、線材１の波付け方向の交差部３を結ぶ軸線４と直交する方向に沿って円筒形状に折り曲げたものから構成されている。線材１の波付け方向を、図２中、Ａで示す。
【００２１】
上述した、この発明のクッション材によれば、軸線４の方向に圧縮荷重がかかった場合、隣接する線材１の交差部３間に引張力が作用し、この引張力は、幅広い荷重範囲に応じて変化し、圧縮荷重がなくなれば、元の状態に復帰する。
【００２２】
この結果、この発明のクッション材を、例えば、椅子に使用することによって、良好なクッション効果が得られる荷重範囲は、上述したスポンジやコイル状スプリングに比べて大幅に広くなる。
【００２３】
なお、クッション効果をさらに高くする必要がある場合には、図３に示すように、複数個（この例では、３個）の菱形金網２を同心円状に配すればよい。この場合、菱形金網２のループ形状は、円筒形状に限定されない。さらに、クッション効果は、線材１の材質を変えることによっても調整することができる。
【００２４】
この発明のクッション材を、椅子に使用する場合には、図４および図５に示すように、菱形金網２の上部に板状の座部５を乗せる。
【００２５】
この発明のクッション材を、椅子に使用する場合において、菱形金網２の高さが高いと不安定になるおそれある場合には、図６に示すように、菱形金網２を基台６上に乗せ、その分、菱形金網２の高さを低くすればよい。
【００２６】
この発明のクッション材は、上述したように、椅子に使用する以外に、種々の緩衝部材として使用することができる。
【００２７】
以上説明したように、この発明によれば、網目が菱形になるように編まれた、ジグザグに折り曲げられた複数本の線材１からなる菱形金網２を、線材１の波付け方向の交差部３を結ぶ軸線４と直交する方向に沿ってループ状に折り曲げることにより、軸線４の方向に圧縮荷重がかかった場合、隣接する線材１の交差部３間に引張力が作用し、この引張力は、幅広い荷重範囲に応じて変化し、圧縮荷重がなくなれば、元の状態に復帰する。
【００２８】
この結果、この発明のクッション材を、例えば、椅子に使用することによって、良好なクッション効果が得られる荷重範囲は、上述したスポンジやコイル状スプリングに比べて大幅に広くなる。
【００２９】
なお、菱形金網２の形状は、ループ状であれば、円筒形状に限定されず、四角筒状や楕円筒形状等であってもよい。
【符号の説明】
【００３０】
１：線材
２：菱形金網
３：交差部
４：軸線
５：座部
６：基台
【図１】
2019019843.tif 000003
【図２】
2019019843.tif 000004
【図３】
2019019843.tif 000005
【図４】
2019019843.tif 000006
【図５】
2019019843.tif 000007
【図６】
2019019843.tif 000008